【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
データの複数の冗長バージョン(ＲＶ)を有するｈｙｂｒｉｄ  ａｕｔｏｍａｔｉｃ  ｒｅｐｅａｔ  ｒｅｑｕｅｓｔ（ＨＡＲＱ）スキームを用いてユーザ端末から基地局にデータを伝送する方法であって、前記方法は、前記ユーザ端末において実行される以下の工程、
複数のＲＶのうちＲＶ０を有する前記ＨＡＲＱスキームを用いて前記データの伝送を行うことと、
複数のＲＶのうちＲＶ２を有する前記ＨＡＲＱスキームを用いて前記データの再伝送を行うことと
を含み、前記複数のＲＶは、前記ＲＶ０、ＲＶ１、前記ＲＶ２およびＲＶ３を含み、
前記ＲＶ０は、初期伝送において使用され、前記初期伝送に、第２の伝送が続き、前記第２の伝送に第３の伝送が続き、前記第３の伝送に第４の伝送が続き、前記ＲＶ１は、前記第４の伝送において使用され、前記ＲＶ２は、前記第２の伝送において使用され、前記ＲＶ３は、前記第３の伝送において使用される、方法。
【請求項２】
前記ＨＡＲＱスキームは、同期ＨＡＲＱスキームである、請求項１に記載の方法。
【請求項３】
前記複数のＲＶは、前記ＲＶ０、前記ＲＶ１、前記ＲＶ２および前記ＲＶ３で構成される、請求項１に記載の方法。
【請求項４】
前記ユーザ端末において実行される以下の工程、
前記基地局からスケジューリング情報を受信することと、
前記スケジューリング情報に基づいて、ＲＶを選択することと、
前記選択されたＲＶを有する後続の伝送を行うことと
をさらに含む、請求項１に記載の方法。
【請求項５】
前記スケジューリング情報は、選択されるべき前記ＲＶのインジケータを含む、請求項４に記載の方法。
【請求項６】
前記スケジューリング情報は、新規データインジケータ（ＮＤＩ）を含む、請求項４に記載の方法。
【請求項７】
データの複数の冗長バージョン(ＲＶ)を有するｈｙｂｒｉｄ  ａｕｔｏｍａｔｉｃ  ｒｅｐｅａｔ  ｒｅｑｕｅｓｔ（ＨＡＲＱ）スキームを用いてデータを伝送することに適合されたユーザ端末であって、前記ユーザ端末はコントローラを含み、前記コントローラは、
複数のＲＶのうちＲＶ０を有する前記ＨＡＲＱスキームを用いて前記データの伝送を行うことと、
複数のＲＶのうちＲＶ２を有する前記ＨＡＲＱスキームを用いて前記データの再伝送を行うことと
を行うように適合され、前記複数のＲＶは、前記ＲＶ０、ＲＶ１、前記ＲＶ２およびＲＶ３を含み、
前記ＲＶ０は、初期伝送において使用され、前記初期伝送に、第２の伝送が続き、前記第２の伝送に第３の伝送が続き、前記第３の伝送に第４の伝送が続き、前記ＲＶ１は、前記第４の伝送において使用され、前記ＲＶ２は、前記第２の伝送において使用され、前記ＲＶ３は、前記第３の伝送において使用される、ユーザ端末。
【請求項８】
前記ＨＡＲＱスキームは、同期ＨＡＲＱスキームである、請求項７に記載の端末。
【請求項９】
前記複数のＲＶは、前記ＲＶ０、前記ＲＶ１、前記ＲＶ２および前記ＲＶ３で構成される、請求項７に記載の端末。
【請求項１０】
前記コントローラは、
前記基地局からスケジューリング情報を受信することと、
前記スケジューリング情報に基づいて、ＲＶを選択することと、
前記選択されたＲＶを有する後続の伝送を行うことと
を行うようにさらに適合されている、請求項７に記載の端末。
【請求項１１】
前記スケジューリング情報は、選択されるべき前記ＲＶのインジケータを含む、請求項１０に記載の端末。
【請求項１２】
前記スケジューリング情報は、新規データインジケータ（ＮＤＩ）を含む、請求項１０に記載の端末。
【請求項１３】
データの複数の冗長バージョン(ＲＶ)を有するｈｙｂｒｉｄ  ａｕｔｏｍａｔｉｃ  ｒｅｐｅａｔ  ｒｅｑｕｅｓｔ（ＨＡＲＱ）スキームを用いてユーザ端末からデータを受信することに適合された基地局であって、前記基地局はコントローラを含み、前記コントローラは、
複数のＲＶのうちＲＶ０を有する前記ＨＡＲＱスキームが用いられている前記データの伝送を受信することと、
複数のＲＶのうちＲＶ２を有する前記ＨＡＲＱスキームが用いられている前記データの再伝送を受信することと
を行うように適合され、前記複数のＲＶは、前記ＲＶ０、ＲＶ１、前記ＲＶ２およびＲＶ３を含み、
前記ＲＶ０は、前記ユーザ端末の初期伝送において使用され、前記ユーザ端末の初期伝送に、前記ユーザ端末の第２の伝送が続き、前記ユーザ端末の第２の伝送に前記ユーザ端末の第３の伝送が続き、前記ユーザ端末の第３の伝送に前記ユーザ端末の第４の伝送が続き、前記ＲＶ１は、前記ユーザ端末の第４の伝送において使用され、前記ＲＶ２は、前記ユーザ端末の第２の伝送において使用され、前記ＲＶ３は、前記ユーザ端末の第３の伝送において使用される、基地局。
【手続補正２】
【補正対象書類名】明細書
【補正対象項目名】００２５
【補正方法】変更
【補正の内容】
【００２５】
また、本発明は、対応する端末、基地局及び通信システムに関連されている。
例えば、本発明は以下の項目を提供する。
（項目１）
データの複数の反復バージョン(redundancy  version)を用いるＨＡＲＱ(Hybrid  Automatic  Repear  request)を用いて端末が基地局に上記データを伝送し、各々の反復バー
ジョンは、循環的バッファ(circular  buffer)内でデータブロックの伝送開始位置を指示するデータ伝送方法において、
第１の反復バージョンを用いたＨＡＲＱ技法を使用して上記データの第１の伝送を遂行する段階；及び
多様な反復バージョンを用いたＨＡＲＱ技法を使用して上記データの少なくとも一回の再伝送を遂行する段階；を含み、
上記少なくとも一回の再伝送に対して、以前に使われた反復バージョン及び予め決定された(predetermined)順序(sequence)を考慮することによって使われる反復バージョンを
決定する段階；をさらに含み、
一つの順序内に、順次的な(following  each  other)少なくとも２個の反復バージョンは、非連続的(non-consecutive)開始位置を有する、ＨＡＲＱを用いたデータ伝送方法。
（項目２）
上記順序は、反復的再伝送の遂行に循環的に使われる、項目１に記載のＨＡＲＱを用いたデータ伝送方法。
（項目３）
上記複数の反復バージョンは、上記循環的バッファ内で各々４個の異なる開始位置を有する４個の反復バージョンを含む、項目１に記載のＨＡＲＱを用いたデータ伝送方法。
（項目４）
上記順序は、各反復バージョンの開始位置を考慮して第１、第３、第４及び第２の反復バージョンの順序に設定される反復バージョンで形成される、項目３に記載のＨＡＲＱを用いたデータ伝送方法。
（項目５）
第１の開始位置を有する反復バージョンは、上記第１の伝送のためにのみ使われて、上記少なくとも一回の再伝送は、各反復バージョンの開始位置を考慮して第３、第４及び第２の反復バージョンに設定された順序の通りに遂行される、項目３に記載のＨＡＲＱを用いたデータ伝送方法。
（項目６）
一つの反復バージョンが上記第１の伝送のために特定的に(specifically)使われる、項目１に記載のＨＡＲＱを用いたデータ伝送方法。
（項目７）
上記複数の反復バージョンは、全部同じ大きさであり、上記循環的バッファ内で均等な間隔に分離された開始位置を有する、項目１に記載のＨＡＲＱを用いたデータ伝送方法。
（項目８）
上記基地局からスケジューリング情報を受信する段階；
上記スケジューリング情報に基づいて反復バージョンを選択する段階；
上記選択された反復バージョンを用いた伝送を遂行する段階；及び
上記選択された反復バージョン及び上記予め決定された順序を考慮することによって反復バージョンを用いて上記データを再伝送する段階；
をさらに含む、項目１に記載のＨＡＲＱを用いたデータ伝送方法。
（項目９）
上記スケジューリング情報は、選択される上記反復バージョンのインジケータを含む、項目８に記載のＨＡＲＱを用いたデータ伝送方法。
（項目１０）
上記スケジューリング情報は、現在通信状況を含み、伝送された最後の反復バージョンの開始位置の直後の開始位置を有する反復バージョンが選択される、項目８に記載のＨＡＲＱを用いたデータ伝送方法。
（項目１１）
上記スケジューリング情報は、新規データインジケータを含み、上記端末は、上記スケジューリング情報を受信した後、上記第１の伝送を遂行する、項目８に記載のＨＡＲＱを用いたデータ伝送方法。
（項目１２）
データの複数の反復バージョンを用いるＨＡＲＱを使用してデータの伝送に適した端末として、上記複数の反復バージョンの各々は、循環的バッファ内でデータブロックの伝送開始位置を指示する端末において、
上記端末は、制御手段(controller)を含み、
上記制御手段は、第１の反復バージョンを用いたＨＡＲＱを使用して上記データの第１の伝送を遂行して、多様な反復バージョンを用いたＨＡＲＱ技法を使用して上記データの少なくとも一回の再伝送を遂行して、上記少なくとも一回の再伝送に対して、以前に使われた反復バージョン及び予め決定された(predetermined)順序(sequence)を考慮すること
によって使われる反復バージョンを決定し、
一つの順序内に、順次的な(following  each  other)少なくとも２個の反復バージョンは、非連続的(non-consecutive)開始位置を有する、端末。
（項目１３）
上記順序は、反復的再伝送の遂行に循環的に使われる、項目１２に記載の端末。
（項目１４）
上記複数の反復バージョンは、上記循環的バッファ内で各々異なる４個の開始位置を有する４個の反復バージョンを含む、項目１２に記載の端末。
（項目１５）
上記順序は、各反復バージョンの開始位置を考慮して第１、第３、第４及び第２の反復バージョンの順序に設定された反復バージョンで形成される、項目１４に記載の端末。
（項目１６）
第１の開始位置を有する反復バージョンは、上記第１の伝送のためにのみ使われて、上記少なくとも一回の再伝送は、各反復バージョンの開始位置を考慮して第３、第４及び第２の反復バージョンに設定された順序の通りに遂行される、項目１４に記載の端末。
（項目１７）
一つの反復バージョンが上記第１の伝送のために特定的に使われる、項目１２に記載の端末。
（項目１８）
上記複数の反復バージョンは、全部同じ大きさであり、上記循環的バッファ内で均等な間隔に分離された開始位置を有する、項目１２に記載の端末。
（項目１９）
上記制御手段は、上記基地局からスケジューリング情報を受信して；
上記スケジューリング情報に基づいて反復バージョンを選択して；
上記選択された反復バージョンを用いた伝送を遂行して；及び
上記選択された反復バージョン及び上記予め決定された順序を考慮することによって反復バージョンを用いて上記データを再伝送する、項目１２に記載の端末。
（項目２０）
上記スケジューリング情報は、選択される上記反復バージョンのインジケータを含む、項目１９に記載の端末。
（項目２１）
上記スケジューリング情報は、現在通信状況を含み、上記制御手段は、伝送された最後の反復バージョンの開始位置の直後の開始位置を有する反復バージョンが選択する、項目１９に記載の端末。
（項目２２）
上記スケジューリング情報は、新規データインジケータを含み、上記端末は、上記スケジューリング情報を受信した後、上記第１の伝送を遂行する、項目１９に記載の端末。
（項目２３）
データの複数の反復バージョンを用いるＨＡＲＱを使用してデータの伝送に適した基地局として、上記複数の反復バージョン(ＲＶ)の各々は、循環的バッファ内でデータブロックの伝送開始位置を指示する基地局において、
上記基地局は、制御手段を含み、
上記制御手段は、第１の反復バージョンを用いたＨＡＲＱを使用して上記データの第１の伝送を遂行して、多様な反復バージョンを用いたＨＡＲＱ技法を使用して上記データの少なくとも一回の再伝送を遂行して、上記少なくとも一回の再伝送に対して、以前に使われた反復バージョン及び予め決定された(predetermined)順序(sequence)を考慮すること
によって使われる反復バージョンを決定し、
一つの順序内に、順次的な(following  each  other)少なくとも２個の反復バージョンは、非連続的(non-consecutive)開始位置を有する、基地局。
（項目２４）
基地局と少なくとも一つの端末との間のデータ伝送のために、データの複数の反復バージョンを用いるＨＡＲＱを使用してデータを伝送するシステムにおいて、
上記少なくとも一つの端末は、項目１２に記載の端末であり、上記基地局は、項目２３に記載の基地局である、システム。